(57)【特許請求の範囲】
【請求項１】
〔イ〕ペンタノール、ヘキサノール、ヘプタノール、オクタノール、ノナノール、デカノール、３，５，５−トリメチル−１−ヘキサノール、２−エチル−１−ヘキサノール、シクロヘキサノール、ベンジルアルコール、３−メトキシブタノール、３−メチル−３−メトキシブタノール、乳酸エチル、乳酸ブチル、α−ヒドロキシイソ酪酸メチル、α−ヒドロキシイソ酪酸エチルからなる群から選ばれた少なくとも一種の水酸基を有する化合物５〜９５質量％と〔ロ〕下式（１）で示されるプロピレングリコールモノアルキルエーテルおよび／または下式（２）で示されるジプロピレングリコールモノアルキルエーテル５〜９５質量％とを含有する組成物を洗浄剤として用いて洗浄することを特徴とするワックス及び水溶性加工液の洗浄方法。
【化１】
0003747081.tif 000006
（ただし、上記の式中Ｒ1 は炭素数１〜４のアルキル基を表す。）
【請求項２】
プロピレングリコールモノアルキルエーテルおよび／またはジプロピレングリコールモノアルキルエーテルが、プロピレングリコールモノノルマルプロピルエーテル、プロピレングリコールモノノルマルブチルエーテル、ジプロピレングリコールモノメチルエーテル、ジプロピレングリコールモノノルマルブチルエーテルからなる群から選ばれた少なくとも一種である請求項１記載のワックス及び水溶性加工液の洗浄方法。
【発明の詳細な説明】
【０００１】
【発明の属する技術分野】
本発明は、ワックス及び水溶性加工液の洗浄剤に関するものであり、更に詳しくは精密機械部品のワックス及び水溶性加工液の洗浄に適した洗浄剤に関する。
【０００２】
【従来の技術およびその問題点】
一般に、磁気ヘッドや水晶振動子の製造プロセスにおいてはワックスの使用は不可欠である。例えば、磁気ヘッドの製造では、小さなブロック材料に高精度の成形加工やラップ加工をしなければならない。直接チャックするのが困難な小さな材料が多いので、金属ブロックの治具にワックスで貼り付けて取り扱うのが一般的である。したがって、一連の加工を終えたら治具から剥離し付着してくるワックスを洗浄する必要がある。
【０００３】
また、最近では、安全面での配慮から、これらの加工時に用いられる加工液（研削液など）も水溶性のものが多く用いられている関係上、油溶性のワックスと水溶性の加工液を同時に洗浄する必要がある。
【０００４】
従来、このワックス及び水溶性加工液を洗浄するにあたっては、１、１、１−トリクロルエタン、トリクロルエチレン、塩化メチレンあるいはトリクロロトリフルオロエタン（フロン−１１３）などのハロゲン化炭化水素を主剤としたものを用い、浸漬洗浄、蒸気洗浄もしくはその両者の併用による洗浄が行われてきた。
【０００５】
しかし、これらハロゲン化炭化水素系溶剤は沸点が比較的低いため、ワックスの融点が高い場合は溶解力に欠け、清浄度が十分に得られない場合があった。また、これらハロゲン化炭化水素系溶剤は水の溶解性が低いため、水溶性加工液を洗浄するにあたっては清浄度が十分に得られない場合があった。さらに、これらのハロゲン化炭化水素系の溶剤は人体に対する毒性が懸念されるうえ、オゾン層破壊という地球環境保全面での問題も生じ、その使用が規制されつつある。
【０００６】
このように、当業技術分野では、非ハロゲン系溶剤を主成分とし、人体に対する毒性や安全性上の問題がなく、環境破壊製物質の大気及び水系への排出がなく、しかも各種ワックス及び水溶性加工液類に対し高い溶解力を有するワックス及び水溶性加工液の洗浄剤の開発が重要な課題になっている。
【発明が解決しようとする課題】
【０００７】
本発明は、前述したような従来のワックス及び水溶性加工液の洗浄剤の持つ欠点を克服し、低毒性で安全な溶媒系からなり、ワックスの洗浄能力が高く、水溶性加工液の洗浄も同時に完結でき、環境破壊物質の生成が無く、不快臭も無いワックス及び水溶性加工液の洗浄剤を提供することを目的としてなされたものである。
【０００８】
【課題を解決するための手段】
本発明者らは、前記の好ましい性質を有するワックス及び水溶性加工液の洗浄剤を開発すべく鋭意研究を重ねた結果、ワックスの洗浄能の大きい炭素数５〜１０個のアルコールと水の溶解能の大きいプロピレングリコールモノアルキルエーテルおよびジプロピレングリコールモノアルキルエーテルの混合物が、ワックス及び水溶性加工液の洗浄剤として優れた溶解性を示すことを見出した。本発明は、このような知見に基いて到達したものである。
【０００９】
すなわち、本発明は、〔イ〕ペンタノール、ヘキサノール、ヘプタノール、オクタノール、ノナノール、デカノール、３，５，５−トリメチル−１−ヘキサノール、２−エチル−１−ヘキサノール、シクロヘキサノール、ベンジルアルコール、３−メトキシブタノール、３−メチル−３−メトキシブタノール、乳酸エチル、乳酸ブチル、α−ヒドロキシイソ酪酸メチル、α−ヒドロキシイソ酪酸エチルからなる群から選ばれた少なくとも一種の水酸基を有する化合物５〜９５質量％と〔ロ〕下式（１）で示されるプロピレングリコールモノアルキルエーテルおよび／または下式（２）で示されるジプロピレングリコールモノアルキルエーテル５〜９５質量％とを含有する組成物を洗浄剤として用いて洗浄することを特徴とするワックス及び水溶性加工液の洗浄方法に関する。
【化２】
0003747081.tif 000002
（ただし、上記の式中Ｒ1 は炭素数１〜４のアルキル基を表す。）
【００１０】
【発明の実施の形態】
以下、本発明を詳細に説明する。
本発明の洗浄剤は、植物系ワックス、動物系ワックス、石液ワックス、鉱物系ワックス等の天然ワックス、合成炭化水素ワックス、変性ワックス、水素化ワックス等の合成ワックスなど、いずれのワックスに対しても有効に適用される。
【００１１】
また、（i)鉱物油、界面活性剤（アニオン系、カチオン系、ノニオン系）、防錆剤、水等からなるエマルジョンタイプもしくはソリュープルタイプの水溶性研削油剤、（ii) 炭酸塩、ほう酸塩、珪酸塩等の無機塩と水からなるケミカルタイプの水溶性研削油剤などに対しても有効に適用される。
【００１２】
本発明におけるワックス及び水溶性加工液の洗浄剤は、〔イ〕炭素数５〜１０個のアルコール５〜９５重量％と〔ロ〕プロピレングリコールモノアルキルエーテルおよび／またはジプロピレングリコールモノアルキルエーテル５〜９５重量％とを含有することによって構成されている。
【００１３】
水酸基を有する化合物（以下、「アルコール」と記す。）としては、ペンタノール、ヘキサノール、ヘプタノール、オクタノール、ノナノール、デカノール、３，５，５−トリメチル−１−ヘキサノール、２−エチル−１−ヘキサノール、シクロヘキサノール、ベンジルアルコールなどの通常の第一級または第二級アルコール類、３−メトキシブタノール、３−メチル−３−メトキシブタノールなどのエーテル基含有アルコール類、乳酸エチル、乳酸ブチル、α−ヒドロキシイソ酪酸メチル、α−ヒドロキシイソ酪酸エチルなどのエステル基含有アルコール類などが挙げられる。特にオクタノール、ノナノール、デカノール、２−エチル−１−ヘキサノール、３−メトキシブタノール、３−メチル−３−メトキシブタノール、３，５，５−トリメチル−１−ヘキサノールまたはα−ヒドロキシイソ酪酸メチルがワックスの洗浄力の点から好ましい。これらのアルコールは単独で用いても良いし、また２種類以上を組み合わせて用いても良い。
【００１４】
プロピレングリコールモノアルキルエーテルとしては、プロピレングリコールモノメチルエーテル、プロピレングリコールモノエチルエーテル、プロピレングリコールモノノルマルプロピルエーテル、プロピレングリコールモノイソプロピルエーテル、プロピレングリコールモノノルマルブチルエーテル、プロピレングリコールモノイソブチルエーテル、プロピレングリコールモノターシャリーブチルエーテル等、また、ジプロピレングリコールモノアルキルエーテルとしては、ジプロピレングリコールモノメチルエーテル、ジプロピレングリコールモノエチルエーテル、ジプロピレングリコールモノノルマルプロピルエーテル、ジプロピレングリコールモノイソプロピルエーテル、ジプロピレングリコールモノノルマルブチルエーテル、ジプロピレングリコールモノイソブチルエーテル、ジプロピレングリコールモノターシャリーブチルエーテル等、をそれぞれ挙げられる。特に、プロピレングリコールモノメチルエーテル、プロピレングリコールモノエチルエーテル、プロピレングリコールモノノルマルプロピルエーテル、プロピレングリコールモノノルマルブチルエーテル、ジプロピレングリコールモノメチルエーテル、ジプロピレングリコールモノエチルエーテル、ジプロピレングリコールモノノルマルプロピルエーテルまたはジプロピレングリコールモノノルマルブチルエーテルが水溶性加工液の洗浄力の点から好ましい。これらのプロピレングリコールモノアルキルエーテルまたはジプロピレングリコールモノアルキルエーテルは、単独で用いても良いし、また２種類以上を組み合わせて用いても良い。
【００１５】
前記〔イ〕と〔ロ〕の組み合わせは任意であるが、特に２−エチルヘキサノールとジプロピレングリコールモノメチルエーテルの組み合わせ、デカノールとジプロピレングリコールモノノルマルブチルエーテルの組み合わせ、あるいは３−メチル−３−メトキシブタノールとプロピレングリコールモノノルマルブチルエーテルの組み合わせが両者の沸点が近く、廃液のリサイクル性が良いことからより好ましい。
【００１６】
また、洗浄力向上のため、ノニオン系界面活性剤、アニオン系界面活性剤、またはカチオン系界面活性剤などの界面活性剤や、酸性化合物または塩基性化合物を必要により併用することもできる。
【００１７】
本発明のワックス及び水溶性加工液の洗浄剤中における炭素数５〜１０個のアルコールの含有量はその用途により異なるが、通常は５〜９５重量％、好ましくは５０〜９０重量％、特に好ましくは７０〜９０重量％の範囲で用いられる。また、プロピレングリコールモノアルキルエーテルおよび／またはジプロピレングリコールモノアルキルエーテル含有量はその用途により異なるが、通常は５〜９５重量％、好ましくは１０〜５０重量％、特に好ましくは１０〜３０重量％の範囲で用いられる。
【００１８】
【実施例】
以下、本発明を実施例及び比較例によって具体的に説明するが、本発明は以下の実施例に何ら限定されるものではない。
【００１９】
実施例１〜１２
幅１ｃｍ、長さ１０ｃｍのＳＵＳー３１６製テストピースに下記Ａ及びＢのワックスを２．０ｇ乗せ、ホットプレート上で約７０℃に加熱、溶融させた後、一昼夜放置したものをテスト用部品として用いた。また、同じく幅１ｃｍ、長さ１０ｃｍのＳＵＳー３１６製テストピースに下記Ｃの水溶性加工液を２．０ｇ塗布したものをテスト用部品として用いた。
Ａ  ：  マグトロンワックスＧ−４（日化精工社製）
Ｂ  ：  スカイワックス４１５（日化精工社製）
Ｃ  ：  ＴＣ−５５（クレノートン社製）
ワックス及び水溶性加工液を塗布したテスト用部品を、本発明の組成のワックス及び水溶性加工液の洗浄剤の入った洗浄ビンに投入、浸漬、揺動させ、５０℃で１分間洗浄処理を行った。処理後、テスト用部品に付着している溶剤を乾燥させた後、ワックス及び水溶性加工液の残存付着量を測定し、評価した。洗浄率は洗浄前後の重量変化で算出し、判定は以下の通りとした。
◎  ：  洗浄率１００％
○  ：  洗浄率９５％以上
△  ：  洗浄率８０％以上
×  ：  洗浄率８０％未満
結果は表１にまとめて示した。
【００２０】
【表１】
0003747081.tif 000003
0003747081.tif 000004
【００２１】
比較例１〜４
従来使われているような組成のワックスの洗浄剤を用いた以外は実施例１〜１２と同様な方法で実験を行った。その結果は表２に示した。
【００２２】
【表２】
0003747081.tif 000005
【００２３】
【発明の効果】
本発明のワックス及び水溶性加工液の洗浄剤は、低毒性で安全な溶媒系からなり、ワックスの洗浄能力が高く、水溶性加工液の洗浄も同時に完結できる。その上、不快臭が無く、環境保安上の問題も無い。